【手続補正書】
【提出日】平成16年12月27日(2004.12.27)
【手続補正１】
【補正対象書類名】明細書
【補正対象項目名】特許請求の範囲
【補正方法】変更
【補正の内容】
【特許請求の範囲】
【請求項１】
画像表示領域に光源から投射光が入射される電気光学装置と、
該電気光学装置の一面に対向するように配置されるプレートと、前記プレートに当接する第１当接部分を有し前記プレートとで前記電気光学装置を収容するカバーとからなり、前記電気光学装置における前記画像表示領域の周辺に位置する周辺領域の少なくとも一部を前記プレート及び前記カバーの少なくとも一方で保持して当該電気光学装置を収納する実装ケースとを備えた実装ケース入り電気光学装置であって、
前記電気光学装置から前記プレートを介して前記カバーへと至る熱伝達路が構成されているとともに、
前記熱伝達路は、前記電気光学装置及び前記プレートが直接的又は間接的に面接触している部分を含むことを特徴とする実装ケース入り電気光学装置。
【請求項２】
前記熱伝達路は、前記電気光学装置及び前記カバーが直接的又は間接的に面接触している部分を含むことを特徴とする請求項１に記載の実装ケース入り電気光学装置。
【請求項３】
前記カバーは、前記プレートよりも熱伝導率が高い材料から構成されているとともに、前記プレートは前記電気光学装置を固定することを特徴とする請求項１又は２に記載の実装ケース入り電気光学装置。
【請求項４】
前記プレート及び前記電気光学装置間は、モールド材が介在されており、
前記熱伝達路は、前記モールド材を含むことを特徴とする請求項１乃至３のいずれか一項に記載の実装ケース入り電気光学装置。
【請求項５】
前記プレート及び前記電気光学装置は、光硬化性樹脂により相互に接着されていることを特徴とする請求項１乃至４のいずれか一項に記載の実装ケース入り電気光学装置。
【請求項６】
前記面接触している部分は、両面テープ及びモールド材の少なくとも一方を介して接着されていることを特徴とする請求項１乃至５のいずれか一項に記載の実装ケース入り電気光学装置。
【請求項７】
前記両面テープ及びモールド材の少なくとも一方は、熱伝導率０．６〔Ｗ／ｍ・Ｋ〕以上を有する材料から構成されていることを特徴とする請求項６に記載の実装ケース入り電気光学装置。
【請求項８】
前記プレートは、板状部材からなるとともに、
該板状部材から前記カバー側へ起き上がっており、前記電気光学装置の少なくとも一部に直接的に又は間接的に当接する第２当接部分を含む起き上がり部を含み、
前記面接触している部分は、前記起き上がり部を含むことを特徴とする請求項１乃至７のいずれか一項に記載の実装ケース入り電気光学装置。
【請求項９】
前記起き上がり部は、前記板状部材の一部が折り曲げられた折り曲げ部を含むことを特徴とする請求項８に記載の実装ケース入り電気光学装置。
【請求項１０】
前記板状部材は、平面視して四辺形状を有する部分を含み、
前記折り曲げ部は、前記四辺形状を構成する各辺のうち対向する二辺それぞれの一部が該四辺形状の内方に向かって折り曲げられている部分を含むことを特徴とする請求項９に記載の実装ケース入り電気光学装置。
【請求項１１】
前記カバーは、前記電気光学装置の側面に対向する壁部分を含み、前記第１当接部分は、前記起き上がり部の第１対向面及び前記壁部分の少なくとも一部間の当接部分を含むことを特徴とする請求項８乃至１０のいずれか一項に記載の実装ケース入り電気光学装置。
【請求項１２】
前記第２当接部分は、前記第１対向面の裏面たる前記起き上がり部の第２対向面及び前記電気光学装置の側面の少なくとも一部間の当接部分を含む請求項１１のいずれか一項に記載の実装ケース入り電気光学装置。
【請求項１３】
前記起き上がり部は、前記板状部材から直角に起き上がっていることを特徴とする請求項８乃至１２のいずれか一項に記載の実装ケース入り電気光学装置。
【請求項１４】
前記基板は、電気光学物質を挟持する一対の基板及び該一対の基板における前記電気光学物質に対向しない側に設けられる防塵用基板の少なくとも一つを含むことを特徴とする請求項１乃至１３のいずれか一項に記載の実装ケース入り電気光学装置。
【請求項１５】
画像表示領域に光源から投射光が入射される電気光学装置の一面に対向するように配置されるプレートと、前記プレートに当接する第１当接部分を有し前記プレートとで前記電気光学装置を収容するカバーとからなり、前記電気光学装置における前記画像表示領域の周辺に位置する周辺領域の少なくとも一部を前記プレート及び前記カバーの少なくとも一方で保持して当該電気光学装置を収納する実装ケースであって、
前記電気光学装置から前記プレートを介して前記カバーへと至る熱伝達路が少なくとも構成されているとともに、
前記熱伝達路は、前記電気光学装置及び前記プレートが直接的又は間接的に面接触している部分を含むことを特徴とする実装ケース。
【請求項１６】
前記カバーは、前記プレートよりも熱伝導率が高い材料から構成されているとともに、前記プレートは前記電気光学装置を固定することを特徴とする請求項１５に記載の実装ケース入り電気光学装置。
【請求項１７】
請求項１乃至１４のいずれか一項に記載の実装ケース入り電気光学装置と、
前記光源と、
前記投射光を前記電気光学装置に導く光学系と、
前記電気光学装置から出射される投射光を投射する投射光学系と
を備えたことを特徴とする投射型表示装置。
【手続補正２】
【補正対象書類名】明細書
【補正対象項目名】００１２
【補正方法】変更
【補正の内容】
【００１２】
【課題を解決するための手段】
本発明の実装入り電気光学装置は、前記課題を解決するため、画像表示領域に光源から投射光が入射される電気光学装置と、該電気光学装置の一面に対向するように配置されるプレートと、前記プレートに当接する第１当接部分を有し前記プレートとで前記電気光学装置を収容するカバーとからなり、前記電気光学装置における前記画像表示領域の周辺に位置する周辺領域の少なくとも一部を前記プレート及び前記カバーの少なくとも一方で保持して当該電気光学装置を収納する実装ケースとを備えた実装ケース入り電気光学装置であって、前記電気光学装置から前記プレートを介して前記カバーへと至る熱伝達路が構成されているとともに、前記熱伝達路は、前記電気光学装置及び前記プレートが直接的又は間接的に面接触している部分を含むことを特徴とする。
【手続補正３】
【補正対象書類名】明細書
【補正対象項目名】００１４
【補正方法】変更
【補正の内容】
【００１４】
そして、本発明では特に、前記電気光学装置から前記プレートを介して前記カバーへと至る熱伝達路が構成されているとともに、前記熱伝達路は、前記電気光学装置及び前記プレートが直接的又は間接的に面接触している部分を含む。なお、ここにいう「熱伝達路」は、前記の「第１当接部分」を含んでも含まなくてもよい。
【手続補正４】
【補正対象書類名】明細書
【補正対象項目名】００１５
【補正方法】変更
【補正の内容】
【００１５】
これによれば、電気光学装置、プレートからカバーへと通ずる熱伝達路が構成されていることから、電気光学装置が光照射を受けて温度上昇する場合においては、その熱を、最終的にカバーに逃がしてやること、ないしは熱伝達させることが可能である。すなわち、この場合、プレート、或いはカバーを、電気光学装置のヒートシンクとして機能させることが可能ということができる。この結果、電気光学装置の冷却を有効に実現することができる。